(57)【要約】【課題】採光ユニットの透光パネルを表面板の採光用の開口部に簡単で手間がかからずに合致できる採光部付き扉とする。【解決手段】面外方向に離隔した一対の表面板３間に採光ユニット１０が配設され、この採光ユニット１０の透光パネル１２と裏面板３の採光用の開口部４とで採光部２ａとし、前記表面板３の開口部４の周縁に沿って内向片５を設け、この内向片５にスペーサ部材６を取付け、前記採光ユニット１０のパネル保持部材１１の透光用開口部１３を、前記スペーサ部材６に嵌め込むことで位置決めし、透光パネル１２を採光用の開口部４に合致する。【選択図】図２
2010084414.tif 000002
【特許請求の範囲】
【請求項１】
採光用の開口部を有し離隔した一対の表面板間に、パネル保持部材に透光パネルを保持した採光ユニットが取付けられ、この透光パネルと前記表面板の採光用の開口部とで採光部とした採光部付き扉であって、
前記表面板は、その裏面側に、前記採光用の開口部を基準として前記採光ユニットの位置決め手段を有し、
前記採光ユニットを、前記位置決め手段により透光用パネルと採光用の開口部が合致するように位置決めしていることを特徴とする採光部付き扉。
【請求項２】
前記採光ユニットは、その透光用開口部が前記位置決め手段に嵌まり合って透光用パネルと採光用の開口部が合致するように位置決めしている請求項１記載の採光部付き扉。
【請求項３】
前記表面板は、その開口部の周縁に沿って内向片を有し、
この内向片に、採光ユニットの透光用開口部が嵌まり合うスペーサ部材を設けて前記位置決め手段とした請求項１又は２記載の採光部付き扉。
【請求項４】
前記表面板は、その開口部の周縁に沿って内向片を有し、
前記表面板の裏面に、採光ユニットの透光用開口部が嵌まり合う位置決め部材を、前記内向片に接して取付けて前記位置決め手段とした請求項１又は２に記載の採光部付き扉。
【請求項５】
前記表面板は、その開口部の周縁に沿って、採光ユニットの透光用開口部が嵌まり合って位置決め手段となる内向片を有する請求項１又は２記載の採光部付き扉。
【請求項６】
前記採光ユニットは、パネル挿通孔を有し、かつその両側面にパネル挿通孔に開口した透光用開口部を有したパネル保持体を備え、このパネル保持体のパネル挿通孔に透光パネルを挿通して採光ユニットとした請求項１〜５いずれか１項に記載の採光部付き扉。
【請求項７】
前記採光ユニットは、透光用開口部を有した一側プレートと透光用開口部を有した他側プレートで透光パネルを狭持して保持した請求項１〜５いずれか１項に記載の採光部付き扉。
【請求項８】
前記表面板の採光用の開口部と前記透光パネルとの間にガスケットを設けた請求項１〜７いずれか１項に記載の採光部付き扉。
【発明の詳細な説明】
【技術分野】
【０００１】
本発明は、玄関ドアの扉などに用いる採光部を有した採光部付き扉に関する。
【背景技術】
【０００２】
従来から採光部を有した採光部付き扉が種々提案されている。
例えば、特許文献１に開示したように、面外方向に離隔した一対の表面板の間に、金属枠にガラスパネルを装着した採光のためのユニット、つまり採光ユニット（ガラスユニット）を配設し、一対の表面板の採光用の開口部にガラスパネルを位置合わせして採光部とした採光部付き扉が提案されている。
【特許文献１】特開２００８−１４４５０２号公報
【発明の開示】
【発明が解決しようとする課題】
【０００３】
前述した従来の採光部付き扉においては、採光ユニットのガラスパネルを表面板の採光用の開口部に合致することが重要である。
そこで、従来は、採光ユニットを表面板に対して注意深く位置合わせしながら配設し、ガラスパネルを表面板の開口部に合致しているので、その作業が面倒で手間がかかる。
【０００４】
本発明の目的は、採光ユニットの透光パネルを表面板の採光用の開口部に合致することができると共に、その作業が簡単で手間がかからない採光部付き扉を提供することを目的とする。
【課題を解決するための手段】
【０００５】
本発明は、採光用の開口部を有し離隔した一対の表面板間に、パネル保持部材に透光パネルを保持した採光ユニットが取付けられ、この透光パネルと前記表面板の採光用の開口部とで採光部とした採光部付き扉であって、
前記表面板は、その裏面側に、前記採光用の開口部を基準として前記採光ユニットの位置決め手段を有し、
前記採光ユニットを、前記位置決め手段により透光用パネルと採光用の開口部が合致するように位置決めしていることを特徴とする採光部付き扉である。
【０００６】
本発明においては、前記採光ユニットは、その透光用開口部が前記位置決め手段に嵌まり合って透光用パネルと採光用の開口部が合致するように位置決めすることができる。
このようにすれば、表面板に採光ユニットを簡単に仮取付けできる。
【０００７】
本発明においては、前記表面板は、その開口部の周縁に沿って内向片を有し、
この内向片に、採光ユニットの透光用開口部が嵌まり合うスペーサ部材を設けて前記位置決め手段とすることができる。
【０００８】
本発明においては、前記表面板は、その開口部の周縁に沿って内向片を有し、
前記表面板の裏面に、採光ユニットの採光用開口部が嵌まり合う位置決め部材を、前記内向片に接して取付けて前記位置決め手段とすることができる。
【０００９】
本発明においては、前記表面板は、その開口部の周縁に沿って、採光ユニットの採光用開口部が嵌まり合って位置決め手段となる内向片を有するようにできる。
【００１０】
本発明においては、前記採光ユニットは、パネル挿通孔を有し、かつその両側面にパネル挿通孔に開口した透光用開口部を有したパネル保持体を備え、このパネル保持体のパネル挿通孔に透光パネルを挿通して採光ユニットとすることができる。
このようにすれば、採光ユニットを簡単に組み立てできる。
また、複数の採光部を有する場合には、透光用開口部を複数形成すれば良いし、透光パネルを１枚とすることができるから組み立てが容易である。
【００１１】
本発明においては、前記採光ユニットは、透光用開口部を有した一側プレートと透光用開口部を有した他側プレートで透光パネルを挟持して保持したものにできる。
このようにすれば、採光ユニットを簡単に組み立てできる。
また、複数の採光部を有する場合には、採光用開口部を複数形成すれば良いし、採光パネルを１枚とすることができるから、組み立てが容易である。
【００１２】
本発明においては、前記表面板の採光用の開口部と前記透光パネルとの間にガスケットを設けることができる。
【発明の効果】
【００１３】
本発明によれば、採光ユニットを表面板の位置決め手段により表面板の開口部を基準として位置決めし、透光パネルが開口部に合致する。
したがって、透光パネルを開口部に合致することができると共に、その作業が簡単で手間がかからない。
【発明を実施するための最良の形態】
【００１４】
図１に示すように、枠体１に扉２を開閉自在に取付けて建具としてある。
前記枠体１は上枠１ａと下枠１ｂと左右の縦枠１ｃを方形状に連結してある。
前記扉２は採光部２ａを有し、本発明の採光部付き扉である。
前記扉２は、図２、図３に示すように面外方向に離隔した一対の表面板３を備え、その各表面板３は採光用の開口部４を有していると共に、その開口部４の周縁に沿って設けた内向片５を有している。
前記一対の表面板３における一方の表面板３には、その内向片５にスペーサ部材６が設けてある。
このスペーサ部材６は一方の表面板３の裏面３ａよりも突出している。
前記一対の表面板３間に採光ユニット１０を取付け、この採光ユニット１０と前記開口部４とで前述の採光部２ａとしてある。
前記採光ユニット１０は、パネル保持部材１１にガラス板などの透光パネル１２を保持し、パネル保持部材１１の透光用開口部１３を透光パネル１２で覆うようにしてある。
前記パネル保持部材１１の面外方向中間に透光パネル１２が保持され、この透光パネル１２よりも面外方向一側寄りに透光用開口部１３の一側内周面１３ａ、前記透光パネル１２よりも面外方向他側寄りに透光用開口部１３の他側内周面１３ｂを有している。
【００１５】
そして、透光用開口部１３の一側内周面１３ａが前記スペーサ部材６に嵌まり合い、パネル保持部材１１が表面板３の開口部４に対して位置決めされ、透光パネル１２が開口部４に合致する。
例えば、図４に示すように一方の表面板３の内向片５にスペーサ部材６を取付け、そのスペーサ部材６にパネル保持部材１１の透光用開口部１３の一側内周面１３ａを嵌め込むことで一方の表面板３の開口部４に透光パネル１２を合致させる。
そして、他方の表面板３の内向片５をパネル保持部材１１の透光用開口部１３の他側内周面１３ｂに挿入し、ガスケット７を内向片５と他側内周面１１ｂとの間に押し込んで透光パネル１２に押しつけ、その透光パネル１２と他方の表面パネル３の開口部４との間を気密・水密する。
【００１６】
このようであるから、採光ユニット１０の透光パネル１２を表面板３の採光用の開口部４に合致することができる。
また、パネル保持部材１１の透光用開口部１３の一側内周面１３ａをスペーサ部材６に嵌め込むだけで、透光パネル１２を開口部４に合致できるから、その作業が容易で手間がかからない。
また、一方の表面板３に採光ユニット１０を簡単に仮取付けできる。
【００１７】
次に、各部の詳細を説明する。
前記表面板３は金属製で、開口部４の周縁に沿った部分を内側に向けて折り曲げ加工して内向片５を、四周連続して形成する。
例えば、表面板３に開口部４よりも小さな開口を形成し、この開口と開口部４との間の部分をプレス機械で折り曲げ加工（絞り加工）して四週連続した内向片５を形成する。
【００１８】
前記スペーサ部材６は弾性を有する材料で、断面ほぼ矩形状の長尺材で、その面外方向の一側面６ａに溝６ｂが形成してあると共に、面内方向の外側面６ｃの面外方向の他側面６ｄ寄りを斜面としてある。
そして、スペーサ部材６は、その溝６ｂを内向片５に嵌め込み、その一側面６ａを表面板３の裏面３ａに接して取付ける。
前記パネル保持部材１１の透光用開口部１３の一側内周面１３ａをスペーサ部材６の面内方向の外側面６ｃに接するように嵌め込んで取付ける。
このとき、スペーサ部材６の斜面に沿ってスムーズに嵌め込みできる。
前記スペーサ部材６の面内方向の他側面６ｄが透光パネル１２に接して透光パネル１２を支持する。つまり、スペーサ部材６はパネル押えを兼用している。
【００１９】
前記パネル保持部材１１は、上部材１４と下部材１５と左右の縦部材１６で枠形状としてある。そして、枠の内周面を透光用開口部１３としてある。
前記上部材１４、下部材１５、縦部材１６は、面外方向の中間に内向凹部１４ａ，１５ａ，１６ａを有し、その内向凹部１４ａ，１５ａ，１６ａに透光パネル１２が嵌め込むようにして保持してある。
そして、前記上部材１４、下部材１５、縦部材１６の面外方向一側面１４ｂ，１５ｂ，１６ｂが一方の表面板３の裏面３ａに接着して取付けてあると共に、面外方向他側面１４ｃ，１５ｃ，１６ｃが他方の表面板３の裏面３ａに接着して取付けてある。
【００２０】
前述の実施の形態において、他方の表面板３には内向片１２を設けなくとも良い。
また、他方の表面板３の内向片５にスペーサ部材６を取付けても良い。
【００２１】
次に、本発明の第２の実施の形態を図５〜図７に基づいて説明する。
この実施の形態は、パネル保持部材１１の位置決め手段が第１の実施の形態と相違し、他の構成は第１の実施の形態と同様である。
前記一方の表面板３の裏面３ｂにおける開口部４の周縁に沿って位置決め部材２０を取付ける。
この実施の形態では、位置決め部材２０を内向片５に接して取付けることで、位置決め部材２０自体を開口部４に対して位置決めできるようにしてある。
この位置決め部材２０に、パネル保持部材１１の透光用開口部１３の一側内周面１３ａを嵌め込むことでパネル保持部材１１を位置決めし、透光パネル１２を開口部４に合致させる。
【００２２】
このようにすることで、一方の表面板３の内向片５と透光パネル１２との間にガスケット７を押し込んで取付けることで、一方の表面板３の開口部４と透光パネル１２との間を水密できる。
なお、この実施の形態の場合には一方の表面板３の開口部４の周縁に沿って内向片５を設けなくとも良い。
【００２３】
前記位置決め部材２０は一側片２１と他側片２２で断面鉤形の長尺材で、その一側片２１を一方の表面板３の裏面３ａに、前記内向片５に接するようにして固着して取付け、
その他側片２２を内方（他方の表面板３の裏面３ａに向かう方向）に向けると共に、内向片５と面内方向に離隔する。
そして、この他側片２２に、パネル保持部材１１の透光用開口部１３の一側内周面１３ａが嵌まり合うようにしてパネル保持部材１３を位置決めする。
【００２４】
この場合には、位置決め部材２０（他側片２２）を長尺として四周連続した枠形状とすることが好ましいが、位置決め部材２０を短くして開口部４の各縁に沿ってそれぞれ複数取付けるようにしても良い。
【００２５】
この実施の形態においては、他方の表面板３の裏面３ａに位置決め部材２０を取付けても良い。
この場合には、ユニット枠１１の他側内周面１１ｂを嵌め込むようにする。
【００２６】
前述の各実施の形態では、スペーサ部材６、位置決め部材２０を取付けしたが、表面板３の内向片５に、パネル保持部材１１の透光用開口部１３の一側内周面１３ａを嵌め込むことで位置決めするようにしても良い。
要するに、本発明は、採光ユニット１０のパネル保持部材１１の透光用開口部１３が嵌まり合う位置決め手段を、表面板３の裏面３ａに、採光用の開口部４を基準として設ければ良い。
【００２７】
次に、採光ユニット１０の第２の実施の形態を説明する。
図８に示すように、採光ユニット１０のパネル保持部材１１は、パネル保持体３０と、一側パネル止め体３１と、他側パネル止め体３２を有している。
前記パネル保持体３０は図９に示すように、一側面板３０ａと他側面板３０ｂと一端面板３０ｃと他端面板３０ｄで、幅が広く厚さが薄い偏平な角筒形状で、その内部には透光パネル１２の断面とほぼ同一の形状で、かつほぼ同一の大きさのパネル挿通孔３３を有し、このパネル保持体３０のパネル挿通孔３３内に透光パネル１２が挿通して保持される。
前記透光パネル１２は、パネル保持体３０の全長よりも長く、その透光パネル１２の両端部分がパネル保持体３０の長手方向両端面よりも突出して保持される。
前記一側面板３０ａと他側面板３０ｂに透光用開口部１３がそれぞれ形成され、一方の開口部が前述の一側内周面１３ａ、他方の開口部１３が他側内周面１３ｂである。
【００２８】
前記一側パネル止め体３１と他側パネル止め体３２は、前記パネル保持体３０と同様に幅が広く、厚さが薄い板形状で、その端面３１ａ，３２ａに開口した凹陥部３４をそれぞれ有する。
この凹陥部３４は、前記パネル挿通孔３３と同一断面形状である。
そして、一側パネル止め体３１、他側パネル止め体３２は、パネル保持体３０のパネル挿通孔３３より突出した透光パネル１２の両端部分に、その凹陥部３４を嵌め込み、端面３１ａ，３２ａをパネル保持体３０の端面に接して透光パネル１２がパネル保持体３０から抜けないように保持する。
【００２９】
前述の採光ユニット１０は前述した第１・第２の実施の形態と同様に、一方の透光用開口部１３（一側内周面１３ａ）を一方の表面板３に設けた前述のスペーサ部材６、位置決め部材２０、内向片５に嵌め込んで取付ける。
これによって、透光パネル１２（透光用開口部１３）を表面板３の開口部４に合致することができる。
【００３０】
前述のパネル保持体３０は、具体的には図３に示す左右の縦部材１６，１６を一側面板３０ａ、他側面板３０ｂで一体とした形状で、一対の表面板３に前述と同様にして固着して取付けられる。
前記一側パネル止め体３１、他側パネル止め体３２は、具体的には図２に示す上部材１４、下部材１５と同様の形状である。
【００３１】
採光ユニット１０を前述のように構成することで、枠組みするタイプに比べて簡単に組み立てできる。
また、採光部２ａを複数有する扉の場合には、パネル保持体３０に採光部２ａの数だけの透光用開口部１３を形成すれば良く、簡単に組み立てできる。
【００３２】
また、前述の実施の形態においては、パネル保持体３０から透光パネル１２が抜けないように一側・他側パネル止め体３１，３２を用いているが、一方のパネル止め体のみでも良いし、パネル止め体を用いずに表面板３側に透光パネル１２の受け材を設けるようにしても良い。
【００３３】
また、図示は省略するが、前述のパネル保持体３０を一体ではなく、透光用開口部１３ごとに分割しても良い。
【００３４】
次に、採光ユニット１０の第３の実施の形態を説明する。
図１０に示すように、一側プレート４０と他方プレート４１でパネル保持空間４２を形成するようにしてパネル保持部材１１とし、その一側プレート４０、他側プレート４１に透光用開口部１３を形成する。
【００３５】
このようにすれば、一側プレート４０と他側プレート４１で透光パネル１２を挟持するようにして保持して採光ユニット１０を組み立てできるので、簡単に組み立てできる。
また、前述と同様に複数の採光部２ａを有する場合には、一側プレート４０、他側プレート４１に採光部２ａの数だけ透光用開口部１３を形成すれば良く、簡単に組み立てできる。
【００３６】
前記一側プレート４０は、幅が広く厚さが薄い板状で、一方の表面４０ａには凹部４３が形成されている。
この凹部４３は透光パネル１２が嵌まり込む形状で、透光パネル１２の厚さよりも浅い。
前記凹部４３の底面に透光用開口部１３を形成する。
前記他側プレート４１は一側プレート４０と同様に、幅が広く、厚さが薄い板状で、一方の表面４１ａに凹部４４が形成されている。
この凹部４４は透光パネル１２が嵌まり込む形状で、透光パネル１２の厚さよりも浅く、前記一側プレート４０の凹部４３の深さと他側プレート４１の凹部４４の深さとの合計が透光パネル１２の厚さと等しくなるようにしてある。
前記凹部４４の底面に透光用開口部１３を形成する。
【００３７】
一側プレート４０の凹部４３に透光パネル１２を嵌めこんだ状態で他側プレート４１を重ね合わせて表面４０ａ，４１ａを接し、一側プレート４０と他側プレート４１を連結して採光ユニット１０とする。
前述の一側プレート４０と他側プレート４１の連結は、接着剤、ビス、ボルトナットなどによって実施できる。
【００３８】
図１０に示す一側プレート４０、他側プレート４１は透光用開口部１３ごとに分割してあるが、一側プレート４０、他側プレート４１の両方、又は一方を一体としても良い。
また、一側プレート４０と他側プレート４１を同一とすることもできる。
【００３９】
前述の図８〜図１０に示した採光ユニットは、本発明の位置決め手段を有した扉に限らず、一般の扉にも利用できることは勿論である。
【図面の簡単な説明】
【００４０】
【図１】本発明の実施の形態を示す建具の正面図である。
【図２】採光部の縦断面図である。
【図３】採光部の横断面図である。
【図４】表面板と採光ユニットの組み立て説明図である。
【図５】採光部の第２の実施の形態を示す縦断面図である。
【図６】採光部の第２の実施の形態を示す横断面図である。
【図７】表面板と採光ユニットの組み立て説明図である。
【図８】本発明の第２の実施の形態を示す建具の正面図である。
【図９】採光ユニットの第２の実施の形態を示す分解斜視図である。
【図１０】採光ユニットの第３の実施の形態を示す分解斜視図である。
【符号の説明】
【００４１】
２…扉、２ａ…採光部、３…表面板、３ａ…裏面、４…採光用の開口部、５…内向片、６…スペーサ部材、１０…採光ユニット、１１…パネル保持部材、１２…透光パネル、１３…透光用開口部、２０…位置決め部材、３０…パネル保持体、３１…一側パネル止め体、３２…他側パネル止め体、３３…パネル挿通孔、３４…凹陥部、４０…一側プレート、４１…他側プレート、４２…パネル保持空間。
【図１】
2010084414.tif 000003
【図２】
2010084414.tif 000004
【図３】
2010084414.tif 000005
【図４】
2010084414.tif 000006
【図５】
2010084414.tif 000007
【図６】
2010084414.tif 000008
【図７】
2010084414.tif 000009
【図８】
2010084414.tif 000010
【図９】
2010084414.tif 000011
【図１０】
2010084414.tif 000012